(57)【要約】【課題】プレビュー機能及びビルドジョブ機能を備えた画像形成装置において、各原稿束を構成する先頭原稿の画像データを簡易な操作でプレビュー表示することができる画像形成装置を提供すること。【解決手段】ユーザによる、次スキップボタン（５３）の操作を受け付けると、プレビュー画像表示制御部１７は、原稿束識別情報記録テーブル（１０１）を参照し、プレビュー表示中の画像データより後の、当該プレビュー表示中の画像データに係る原稿束識別情報とは異なる原稿束識別情報を示す画像データ群（単位）における先頭頁の画像データをプレビュー表示する。【選択図】図２
2010118884.tif 000002
【特許請求の範囲】
【請求項１】
自動原稿搬送部にセットされた原稿束をスキャンし画像データを生成する処理を複数回繰り返し、その後原稿束毎に設定された画像形成条件に基づき画像形成を行う画像形成部と、
スキャンした前記原稿束を構成する原稿の画像データに対応して、当該スキャンした原稿の順に、当該原稿が属する原稿束を識別する原稿束識別情報を記録する原稿束識別情報記録部と、
前記記録した原稿束識別情報を参照し、同一原稿束識別情報を示す画像データ群における、それぞれの先頭頁の画像データをプレビュー表示するプレビュー画像表示制御部とを備えたことを特徴とする画像形成装置。
【請求項２】
前記プレビュー画像表示制御部は、次／前スキップ指示操作を受け付けると、プレビュー表示中の画像データより後／前の、当該プレビュー表示中の画像データに係る原稿束識別情報とは異なる原稿束識別情報を示す画像データ群における、先頭頁の画像データをプレビュー表示することを特徴とする請求項１に記載の画像形成装置。
【請求項３】
前記プレビュー画像表示制御部は、画像データのプレビュー表示と共に、当該画像データに係る原稿が属する原稿束の原稿束識別情報を表示することを特徴とする請求項１又は２に記載の画像形成装置。
【請求項４】
前記プレビュー画像表示制御部は、前記プレビュー表示によりスキャン処理の失敗が確認され修正指示操作がなされると、原稿を再スキャンする指示操作を行うように案内する画面を表示することを特徴とする請求項３に記載の画像形成装置。
【請求項５】
前記プレビュー画像表示制御部は、再スキャン指示操作がなされると、再度スキャンした原稿の画像データを既に記憶された前記プレビュー表示に係る画像データと入れ替えて記憶し、再度、プレビュー表示することを特徴とする請求項４に記載の画像形成装置。
【発明の詳細な説明】
【技術分野】
【０００１】
本発明は、プレビュー機能及びビルドジョブ機能を備えた画像形成装置に係り、特に、プレビュー機能を利用してビルドジョブが適切に行われたかを確認する際の利便性を向上させる画像形成装置に関する。
【背景技術】
【０００２】
複数の原稿束をコピー（印刷）する場合において、原稿束毎に画像形成条件を設定し、原稿束毎にスキャンを行い、その後一括してコピー処理を行う、いわゆるビルドジョブ機能を備えた画像形成装置が提案されている（特許文献１参照）。
【０００３】
前記機能を利用すれば、原稿束毎に画像形成条件を設定し一括コピーできるので、原稿を大量にコピーする際のユーザの作業を軽減できる。
【０００４】
しかし、ある原稿束を構成する原稿のスキャンミスがあったか否かを確認する場合、また、誤って画像形成条件を設定したか否かを確認する場合、ユーザは、全原稿束をコピーした後、得られたコピーを全部チェックしなければならない。
【０００５】
もし、上記のチェックにおいて、原稿束内の１枚でも正しくコピー（スキャン）されていなかった場合には、再度、全コピーのやり直しをするか、前記原稿束内から正しくコピーされていなかった原稿を取り出し、コピーをやり直して、間違ってコピーされた用紙と交換する必要がある。
このようにビルドジョブ機能を利用してコピーすると、コピー用紙、トナー等の印刷部材の無駄を生じることもあり、さらにやり直しのための時間が無駄になる。
【０００６】
一方、コピーや印刷を行う前に、表示パネル等に印刷画像（画像データ）を表示して確認する、いわゆるプレビュー表示機能を備えた画像形成装置が提案されている。前記プレビュー表示機能を利用すれば、ユーザは、コピー前に印刷画像を確認できるので印刷部材の無駄ややり直しの手間を省くことができる。
【特許文献１】特開２００５−１３４７９８号公報
【発明の開示】
【発明が解決しようとする課題】
【０００７】
ところで、プレビュー表示機能を備えた画像形成装置においては、ユーザからのプレビュー表示指示を受け付けると最初にスキャンされた原稿の画像データが表示される。その後、ユーザの指示操作により一枚（１画像データ）ずつ原稿の画像データが順次表示されるのが普通である。
【０００８】
例えば１０頁の原稿を一原稿束として、２つの原稿束を構成し、ある原稿束には、画像形成条件として縮小モードを設定しスキャンする。さらに、他の原稿束には、画像形成条件としてカラーコピーを設定しスキャンする。
このような場合、原稿束を構成する先頭頁の原稿が折れ曲がっていたりすると、原稿が正しくスキャンされないことがある。
【０００９】
その後、前記設定された画像形成条件に基づき各原稿束を構成する原稿が適切にスキャンされて画像データが生成されているか否かを確認する場合には、指示ボタン（次表示ボタン）を操作して、一枚毎に順次、原稿の画像データをプレビュー表示させる必要がある。
【００１０】
上記の例では、ユーザが、２つ目の原稿束を構成する原稿の先頭に該当する、１１枚目の原稿が適切にスキャンされて画像データが生成されたか否かを確認するためには、指示ボタンを１０回操作して、目的とする原稿の画像データをプレビュー表示させる必要があるが、このような操作はユーザにとって大変煩雑である。
このようなことは、誤って画像形成条件を設定したか否かを確認する場合も、同様である。
【００１１】
一方、前述のように、各原稿束を構成する原稿が適切にスキャンされて画像データが生成されたか否かを確認する場合には、各原稿束を構成する先頭原稿の原稿画像データについて、前記確認を実行すれば、ユーザは実際にコピーしてもよいと考えると思われる。
【００１２】
本発明は、かかる実情に鑑みてなされたものであり、プレビュー機能及びビルドジョブ機能を備えた画像形成装置において、各原稿束を構成する先頭原稿の画像データを簡易な操作でプレビュー表示することができる画像形成装置を提供することを目的とする。
【課題を解決するための手段】
【００１３】
第１の技術手段は、自動原稿搬送部にセットされた原稿束をスキャンし画像データを生成する処理を複数回繰り返し、その後原稿束毎に設定された画像形成条件に基づき画像形成を行う画像形成部と、スキャンした前記原稿束を構成する原稿の画像データに対応して、当該スキャンした原稿の順に、当該原稿が属する原稿束を識別する原稿束識別情報を記録する原稿束識別情報記録部と、前記記録した原稿束識別情報を参照し、同一原稿束識別情報を示す画像データ群における、それぞれの先頭頁の画像データをプレビュー表示するプレビュー画像表示制御部とを備えたことを特徴とする画像形成装置である。
【００１４】
第２の技術手段は、第１の技術手段において、前記プレビュー画像表示制御部は、次／前スキップ指示操作を受け付けると、プレビュー表示中の画像データより後／前の、当該プレビュー表示中の画像データに係る原稿束識別情報とは異なる原稿束識別情報を示す画像データ群における、先頭頁の画像データをプレビュー表示することを特徴とする。
【００１５】
第３の技術手段は、第１又は第２の技術手段において、前記プレビュー画像表示制御部は、画像データのプレビュー表示と共に、当該画像データに係る原稿が属する原稿束の原稿束識別情報を表示することを特徴とする。
【００１６】
第４の技術手段は、第３の技術手段において、前記プレビュー画像表示制御部は、前記プレビュー表示によりスキャン処理の失敗が確認され修正指示操作がなされると、原稿を再スキャンする指示操作を行うように案内する画面を表示することを特徴とする。
【００１７】
第５の技術手段は、第４の技術手段において、前記プレビュー画像表示制御部は、再スキャン指示操作がなされると、再度スキャンした原稿の画像データを既に記憶された前記プレビュー表示に係る画像データと入れ替えて記憶し、再度、プレビュー表示することを特徴とする。
【発明の効果】
【００１８】
本発明により、プレビュー機能及びビルドジョブ機能を備えた画像形成装置において、各原稿束を構成する先頭原稿の画像データを簡易な操作でプレビュー表示することができ、ユーザの利便性が向上する。
【発明を実施するための最良の形態】
【００１９】
図１を用いて、本発明に係る画像形成装置の概略について説明する。
図１（Ａ）は、コピーの対象である、各原稿束を示した図で、原稿束は５枚の原稿から構成され、コピー原稿面には、原稿枚数（１〜１５）が記載されている。
原稿束Ｍ１には、画像形成条件として縮小コピーを設定し、原稿束Ｃ６には、画像形成条件としてカラーコピーを設定し、原稿束Ｍ１１には、画像形成条件としてモノクロコピーを設定する。
【００２０】
ここで、ユーザが、本発明に係る画像形成装置を操作してビルドジョブモードに移行させ、自動原稿搬送部（以下、ＡＤＦ（Auto Document Feeder）と記す）に、図１（Ｂ）に示すように、上記の原稿束をセットして、原稿束毎に画像形成条件を設定し、スキャンを指示する。
前述の例では、原稿束Ｍ１をＡＤＦにセットし縮小コピーを設定後、スキャンを指示する。すると、前記画像形成装置は、前記原稿束を構成する原稿をスキャンし、画像データを生成・記録する。この際、前記原稿束を識別する原稿束識別情報を、当該原稿束を構成する原稿毎（画像データ毎）に記録する。
【００２１】
次に、スキャン終了後、原稿束Ｃ６をＡＤＦにセットしカラーコピーを設定後、スキャンを指示すると、前記画像形成装置は、前述のように、原稿束Ｃ６を構成する原稿に係わる画像データ及び原稿束識別情報を記録する。最後に、原稿束Ｍ１１をＡＤＦにセットしモノクロコピーを設定後、スキャンを指示する。以下の処理は、前述と同様なので省略する。
【００２２】
その後、プレビュー表示を指示すると、最初の原稿に係わる画像データ“１”がプレビュー表示される。
【００２３】
従来の画像形成装置では、例えば、原稿束Ｃ６が適切にスキャンされた否かを確認するためには、次原稿表示ボタンを５回操作して、原稿束Ｃ６の先頭原稿に係わる画像データ“６”をプレビュー表示していた。
しかし、本発明に係る画像形成装置では、次スキップボタンを１回操作すれば、即、前記画像データ“６”をプレビュー表示することができる。
【００２４】
図２は、本発明の一実施形態に係る画像形成装置の構成例を示す概略ブロック図で、図示例の画像形成装置は、複写動作等に用いられる印刷機能やファクシミリ送信機能等を有するデジタル複合機として構成されている。また、図３は、図２の複合機におけるタッチパネル及びキー操作部の一例を示す外観図である。
【００２５】
複合機として構成された画像形成装置（以下、デジタル複合機と記す）１は、タッチパネル１０、パネル制御部１１、記録部１２、読取部１３、フォーマット変換部１４、画像記憶部１５、画像処理部１６、プレビュー画像表示制御部１７、原稿束識別情報記録部１８、符号化／復号部１９、メイン制御部２０、制御用メモリ２１、キー操作部２２、ＬＡＮ（Local Area Network）制御部２３、制御用バッファ２４、網制御部（ＮＣＵ：Network Control Unit）２５、モデム２６を備えている。
【００２６】
メイン制御部２０はＣＰＵ（Central Processing Unit）などで構成され、制御用メモリ２１は、ＲＯＭ（Read Only Memory）等の不揮発性メモリなどで構成される。制御用メモリ２１内にはメイン制御部２０から読み出し可能なように、プログラム（ファームウェア）と各種設定データとが格納されている。また、制御用バッファ２４はＲＡＭ（Random Access Memory）等の揮発性メモリで構成される。
【００２７】
上述のプログラムは、本発明に係る原稿の読み取りに係る命令をはじめ、プレビュー画像の生成、表示に係る命令、ファクシミリ画像や電子メール等の生成・送信・受信等に係る命令、印刷に係る命令などの、メイン制御部２０が実行する制御プログラムである。このプログラムは、メイン制御部２０により、制御用バッファ２４上に展開され、制御用バッファ２４を一時保存（作業）用のデータ領域として、各種設定データを適宜参照しながら実行される。
【００２８】
読取部１３は、図示しない原稿載置台に載置された原稿を一枚ずつ搬送するＡＤＦを有しており、ＡＤＦにより搬送された原稿の画像をＣＣＤ（Charge Coupled Device）等を用いて１ページずつ読み取ることができ、読み取ったＲＧＢ（Ｒ：赤、Ｇ：緑、Ｂ：青）の画像データを画像処理部１６に出力する。また、読取部１３は、図示しないカウンタを有しており、このカウンタやＡＤＦの用紙検知センサ等を用いて、何ページ目の原稿を読み取っているか、原稿の総ページ数をカウントできるようになっている。
【００２９】
画像処理部１６は、原稿束毎に設定された画像形成条件に基づき、原稿束を構成する原稿の画像データを生成する処理などを実行するビルドジョブ実行部１６ａを有する。前述の例では、原稿束に画像形成条件として縮小コピーが設定された場合には、読取部１３によって生成された原稿の画像データに縮小処理を施す。その他にも、カラーコピーが設定された場合には、原稿をカラーモードでスキャンし、カラー画像データを生成するように読取部１３に指示する。全原稿束のスキャンが終了すると一括してコピー処理を実行する。
【００３０】
また、画像処理部１６は、スキャンした原稿の画像データ毎に、当該原稿が属する原稿束を識別する原稿束識別情報（原稿束１、原稿束２又はジョブ１、ジョブ２等）を原稿束識別情報記録部１８に出力する。なお、原稿束識別情報記録部１８の詳細については後述する。
【００３１】
さらに、画像処理部１６は、プレビュー画像生成部１６ｂを有する。プレビュー画像生成部１６ｂは、例えば、画像記憶部１５に記憶されている画像データに、画像形成条件に基づき各種画像調整処理（プレビュー表示用画像処理）を行い、プレビュー画像を生成する。プレビュー表示用画像処理には、タッチパネル１０の表示特性に基づいて画像データを変換する色補正処理や、印刷倍率に応じた画像拡大／縮小処理等がある。
【００３２】
また、プレビュー画像生成部１６ｂは、生成したプレビュー画像を画像記憶部１５に出力する。画像記憶部１５に記憶されたプレビュー画像は、プレビュー画像表示制御部１７の制御を受け、タッチパネル１０に表示される。
【００３３】
なお、画像処理部１６は、対象となる画像データに対して様々な画像処理を行う。例えば、読取部１３からのＲＧＢ画像データに対するＡ／Ｄ変換等を含む原稿読取時の画像処理（原稿画像処理）を行う。原稿画像処理後の画像データは、画像記憶部１５に記憶される。また、画像処理部１６は、画像記憶部１５に記憶された画像データの印刷や外部装置への送信の際（出力の際）、設定された画像形成条件（印刷倍率に関する出力条件や所謂Ｎ−ｕｐ印刷の設定情報等）等に基づき、当該画像データに印刷用画像処理やファックス送信用画像処理を行う。この印刷用画像処理やファックス送信用画像処理には、出力形態に応じた画質調整処理等が含まれる。なお、画像形成条件は、制御用メモリ２１に記憶されている。
画像処理部１６（記録部１２）は、ＡＤＦにセットされた原稿束をスキャンし画像データを生成する処理を複数回繰り返し、その後原稿束毎に設定された画像形成条件に基づき画像形成を行う画像形成部として機能する。
【００３４】
プレビュー画像表示制御部１７は、原稿束識別情報記録部１８に記録した原稿束識別情報を参照し、同一原稿束識別情報を示す画像データ群における、それぞれの先頭頁の画像データをプレビュー表示する。
【００３５】
フォーマット変換部１４は、読み取られた画像データや外部から受信した画像データを、ＰＤＦ（Portable Document Format）等の所定のファイルフォーマットに変換する。
記録部１２は、電子写真方式などの印刷方式を採用したプリンタ装置を備え、画像記憶部１５に記憶された画像データなどを、記録用紙に記録（つまり印刷）する。例えば、印刷用画像処理後の画像データに基づき、記録を行う。
画像記憶部１５は、ハードディスク等で構成され、読取部１３から画像処理部１６等を経た画像データを原稿ページ毎に記憶する。
【００３６】
符号化／復号部１９は、画像データを符号化により圧縮すると共に、符号化画像データを元の画像データに復号（伸張）する。例えば、符号化／復号部１９は、必要に応じて、原稿を読み取った画像データの符号化、その符号化データの復号、外部から受信した符号化画像データの復号などを行う。符号化／復号部１９では、ファイリングで一般的に使用されているＪＰＥＧ（Joint Photographic Experts Group）など、用途に応じた符号化方式を用いることができる。
【００３７】
モデム２６は、ファクシミリ通信が可能なファクシミリモデムから構成されており、電話回線と接続され、またＮＣＵ２５と直接的に接続されている。ＮＣＵ２５は、必要に応じてモデム２６を公衆電話回線網と接続する。このような構成により、画像記憶部１５に記憶された画像データを外部へファクシミリ送信すること等が可能となる。
ＬＡＮ制御部２３は、ＬＡＮと接続され、インターネット経由による電子メールデータの通信及びインターネットファクシミリ（インターネットＦＡＸ）の通信を行う。
【００３８】
タッチパネル１０又は図３のキー操作部２２は、原稿の読み取り処理、画像形成条件の設定操作、印刷処理等の処理の中から所望の処理を選択するための操作、その処理を開始するための操作、各処理を実行する際に必要となる設定を行うための操作（選択操作又は入力操作）などを受け付ける。タッチパネル１０及びキー操作部２２は、図３で例示するような操作パネル３０として構成してもよい。キー操作部２２は、原稿読込開始等の指示を受付けるスタートキー２２ａ等、操作するために必要なキー群を備えている。
【００３９】
タッチパネル１０は、液晶ディスプレイ等の表示部とタッチセンサ等の操作受付部とを有する。タッチパネル１０は、パネル制御部１１によってその表示制御及び操作受け付けの制御がなされる。
【００４０】
パネル制御部１１は、タッチパネル１０における表示部の表示制御や操作受付部の操作受付制御を行う。
タッチパネル１０の表示部への表示は、ＧＵＩ（Graphical User Interface）画像／プレビュー画像を表示させるように、パネル制御部１１が制御することで実現される。各ＧＵＩ／プレビュー画像は、パネル制御部１１の内部メモリ又は制御用メモリ２１に、読み出し可能に格納しておけばよい。
【００４１】
以下、本発明のプレビュー表示処理について詳細に説明する。
まず、ユーザが、図１（Ａ）で例示した、１つの原稿束をデジタル複合機１のＡＤＦにセットする（図１（Ｂ）参照）。
【００４２】
すると、デジタル複合機１は、ユーザの原稿セットを検知し、図４のデジタル複合機１の標準画面をタッチパネル１０に表示する。図４では、標準画面として、タッチパネル１０に表示されるＧＵＩ画像の一例（ＧＵＩ画像４０とする）を示している。ＧＵＩ画像４０は、ＡＤＦに原稿がセットされたり、デジタル複合機１の電源がＯＮ／リセットされたときにタッチパネル１０に表示される。このＧＵＩ画像４０では、コピーモードが選択されている状態を示す。
【００４３】
ＧＵＩ画像４０において、コピーを行うときの各種の条件設定が可能となっており、ＧＵＩ画像４０で表示されるキーを介して設定された画像形成条件は、原稿読取開始時に制御用メモリ２１に記憶され、原稿全体に適用される。
また、ＧＵＩ画像４０には、読取部１３で読み取った原稿をプレビュー表示するためのプレビュー確認ボタン４１が表示されている。
【００４４】
ここで、ユーザが、特別機能ボタン４２を操作して、原稿束に画像形成条件を設定する。
さらに、スキャンを開始するスタートキー２２ａ（図３参照）を押下すると、原稿の画像データがデジタル複合機１の読取部１３によって順次生成され、画像処理部１６により、前記設定された画像形成条件に基づき、各種画像処理が施されて、画像記憶部１５に記憶される。
【００４５】
同時に、前記原稿が属する原稿束を識別する原稿束識別情報を原稿束識別情報記録部１８に出力する。なお、前記原稿束に設定された画像形成条件を前記原稿束識別情報に含めて出力してもよい。
前記原稿束識別情報を受信した原稿束識別情報記録部１８は、スキャンした原稿の画像データに対応して、当該スキャンした原稿の順に、当該原稿が属する原稿束を識別する原稿束識別情報を、例えば、テーブル形式で記録する。
以上の、印刷条件の設定、スキャン指示を全原稿束に対して実行する。
【００４６】
図５は、図１で例示した原稿束をスキャンした場合に原稿束識別情報記録部１８に記録される原稿束識別情報記録テーブル１０１の一例である。
１０１ａは、画像データ名欄で、スキャンした順に、原稿の画像データ名が記録される。
１０１ｂは、原稿束識別情報欄で、画像データに対応して、当該画像データに係る原稿が属する原稿束を識別する原稿束識別情報が記録される。
【００４７】
原稿束識別情報記録テーブル１０１には、画像形成条件として“縮小”が設定された“原稿束１”の画像データ群（単位）として、画像データ“１”〜画像データ“５” が記録され、同“カラーコピー”が設定された“原稿束２”の画像データ群として、画像データ“６”〜画像データ“１０”が記録され、同“モノクロコピー”が設定された“原稿束３”の画像データ群として、画像データ“１１”〜画像データ“１５”が記録されている。
【００４８】
同時に、プレビュー画像生成部１６ｂによってプレビュー表示用のプレビュー画像が生成され、画像記憶部１５に記憶される。
【００４９】
次いで、ユーザが、スキャンした原稿の画像データをプレビュー表示するようにデジタル複合機１に指示するため、図４のプレビュー確認ボタン４１をＯＮに設定すると、プレビュー画像表示制御部１７は、最初にスキャンした原稿に対応する画像データをプレビュー表示する。ここでは、図６に示すプレビュー画像５０１がタッチパネル１０に表示される。
【００５０】
５１ｍは、画像形成条件として“縮小”が設定された原稿束Ｍ１おける先頭頁の原稿に係る画像データ“１”のプレビュー画像である。
また、前記表示制御部１７は、画像データのプレビュー表示と共に、当該画像データに係る原稿が属する原稿束の原稿束識別情報（原稿束１）を表示する。なお、前記原稿束に設定された画像形成条件（縮小）を表示するようにしてもよい。
【００５１】
５２は、次原稿表示ボタン（以下、次ボタンと記す）、５３は、次スキップボタン、５４は、次早送りスキップボタン、５５は、前原稿表示ボタン（以下、前ボタンと記す）、５６は、前スキップボタン、５７は、前早送りスキップボタン、５８は、再設定ボタン、５９は、コピー開始ボタンで、各ボタンの機能については後述する。
【００５２】
ユーザによる、次スキップボタン５３の操作（次スキップ指示操作）を受け付けると、プレビュー画像表示制御部１７は、図５の原稿束識別情報記録テーブル１０１を参照し、プレビュー表示中の画像データより後の、当該プレビュー表示中の画像データに係る原稿束識別情報とは異なる原稿束識別情報を示す画像データ群（単位）における先頭頁の画像データをプレビュー表示する。
【００５３】
図１及び図５の例では、図６のプレビュー画像５０１における、プレビュー表示中の画像データ（図５の画像データ“１”）の原稿束識別情報は“原稿束１”であるから、当該画像データより後（直後）の、当該原稿束識別情報とは異なる原稿束識別情報を示す画像データ群は、図５の画像データ“６”〜画像データ“１０”である。
【００５４】
前記画像データ群における先頭頁の画像データは、画像データ“６”であるから、プレビュー画像表示制御部１７は、例えば図７に示すプレビュー画像５０２をタッチパネル１０に表示する。
５１ｃは、画像形成条件として“カラーコピー”が設定された原稿束Ｃ６における先頭頁の原稿に係る画像データ“６”のプレビュー画像である。
【００５５】
プレビュー画像５０２を見ると、原稿が折り曲がった状態でスキャン（ミススキャン）されていることが分かる。そこで、ユーザによって、上記のプレビュー画像（表示）によりスキャン処理の失敗が確認され、再設定ボタン５８の操作がなされると（ユーザからの修正指示操作）、プレビュー画像表示制御部１７は、当該操作を受け付け、原稿を再スキャンする指示操作を行うように案内する、図８に示すガイダンス画面６０を表示する。
【００５６】
そこで、ユーザが、ガイダンス画面６０に従って、原稿データ“６”に対応する原稿をＡＦＤにセットして、ガイダンス画面６０の“ＯＫボタン”６０ａを操作（再スキャン指示操作）すると、読取部１３は、前記原稿を再度スキャンし、当該原稿の画像データを生成する。そして、前記生成された画像データを、前記プレビュー表示に係る画像データ（ミススキャンされた原稿に係わる画像データ）と入れ替えて画像記憶部１５に記憶する。
また、プレビュー画像表示制御部１７は、再度、図９に示す、正しくスキャンされた前記原稿の画像データ“６”のプレビュー画像５０４を表示する。
なお、画像形成条件の設定を誤った場合でも、同様に修正できる。
【００５７】
ここで、他の操作ボタンの機能について説明する。
図６に示すプレビュー画像５０１において、ユーザが、次ボタン５２を操作すると、プレビュー画像表示制御部１７は、プレビュー表示中の画像データ（画像データ“１”）の次の画像データである、画像データ“２”のプレビュー画像を表示する。
【００５８】
図７に示すプレビュー画像５０２において、前ボタン５５を操作した場合には、プレビュー画像表示制御部１７は、プレビュー表示中の画像データの前の画像データである、画像データ“５”のプレビュー画像を表示する。
【００５９】
他にも、プレビュー画像５０２において、ユーザによる、前スキップボタン５６の操作（前スキップ指示操作）を受け付けると、プレビュー画像表示制御部１７は、プレビュー表示中の画像データより前（直前）の、当該プレビュー表示中の画像データに係る原稿の原稿束識別情報とは異なる原稿束識別情報を示す画像データ群における先頭頁の画像データをプレビュー表示する。
上記の例では、図６のプレビュー画像５０１が表示される。
【００６０】
また、図６に示すプレビュー画像５０１において、ユーザが次早送りスキップボタン５４を操作すると、プレビュー画像表示制御部１７は、原稿束識別情報記録テーブル１０１を参照し、当該テーブル１０１における末尾の画像データ群における、最初又は最後の画像データ（画像データ“１１”又は画像データ“１５”）をプレビュー表示する。
【００６１】
他にも、図７に示すプレビュー画像５０２において、ユーザが前早送りスキップボタン５７を操作すると、プレビュー画像表示制御部１７は、原稿束識別情報記録テーブル１０１を参照し、当該テーブル１０１における先頭頁の画像データ群における、最初又は最後の画像データ（画像データ“１”又は画像データ“５”）をプレビュー表示する。
【００６２】
ユーザが、上記のボタン操作により各プレビュー画像を表示させ、スキャンが適切に行われていることを確認し、コピー開始ボタン５９を操作すると、記録部１２は、画像記憶部１５に記憶された画像データ“１”〜画像データ“１５”を記録用紙に印刷（コピー）する。
【００６３】
なお、コピーだけでなく、画像記憶部１５に記憶された画像データ“１”〜画像データ“１５”をフォーマット変換部１４によってＰＤＦ等にファイル変換し、画像記憶部１５に記憶してもよい。
他にも、電子メールに添付したり、又、インターネットＦＡＸを利用して、所定の宛先に送信してもよい。
【００６４】
次に、上記のプレビュー画像表示処理を図１０のフロー図を用いて説明する。
ユーザが、原稿束をデジタル複合機１のＡＤＦにセットして（ステップＳ１）、タッチパネル１０を介して画像形成条件をデジタル複合機１に設定し、スキャン開始を指示する（ステップＳ２）。
【００６５】
前記指示を受けたデジタル複合機１の読取部１３は、ビルドジョブ実行部１６ａの制御に基づき、前記原稿を順次スキャンし、画像データを生成し、当該画像データを画像記憶部１５に記憶する（ステップＳ３）。
また、原稿束識別情報記録部１８は、前記画像データの原稿束識別情報を原稿束識別情報記録テーブル１０１に記録する（ステップＳ４）。
【００６６】
全原稿束に対する画像形成条件の設定及びスキャン開始指示が終了するまでステップＳ１〜ステップＳ４の処理を繰り返し（ステップＳ５／ＮＯ）、前記設定及び指示が終了すると（ステップＳ５／ＹＥＳ）、ユーザは、プレビュー表示するようにタッチパネル１０を介してデジタル複合機１に指示する（ステップＳ６）。
【００６７】
プレビュー画像表示制御部１７は、図６に示すプレビュー画像５０１のように、最初にスキャンした原稿に対応する画像データをプレビュー表示する（ステップＳ７）。
【００６８】
ここで、ユーザが、次スキップボタン５３を操作すると（ステップＳ８／次スキップボタン）、プレビュー画像表示制御部１７は、原稿束識別情報記録テーブル１０１を参照し、プレビュー表示中の画像データより後の、当該プレビュー表示中の画像データに係る原稿の原稿束識別情報とは異なる原稿束識別情報を示す画像データ群における先頭頁の画像データをプレビュー表示する（ステップＳ９）。なお、前スキップボタン５６を操作した場合には、プレビュー表示中の原稿に係る画像データより前の、当該プレビュー表示中の画像データに係る原稿の原稿束識別情報とは異なる原稿束識別情報を示す画像データ群における先頭頁の画像データがプレビュー表示される。
【００６９】
ユーザが、再設定ボタン５８を操作すると（ステップＳ８／再設定ボタン）、プレビュー画像表示制御部１７は、ガイダンス画面６０を表示し、ユーザからの再スキャン指示があった場合（“はいボタン”６０ａの操作）、再スキャンを実行し画像データをプレビュー表示する（ステップＳ１０）。
【００７０】
なお、次原稿表示ボタン５２、次早送りスキップボタン５４、前ボタン５５、前スキップボタン５７を操作した場合には、前述のように、各ボタンに対応するプレビュー画像を表示する。
【００７１】
ユーザが、コピー開始ボタン５９を操作すると、記録部１２は、画像記憶部１５に記憶された画像データを記録用紙に印刷（コピー）する（ステップＳ１１）。
【００７２】
このように、次スキップボタン５３／前スキップボタン５６を１回操作するだけで、原稿束の先頭頁の原稿に係わる画像データをプレビュー表示することができるので、ユーザの利便性が向上する。
【００７３】
また、スキャンが失敗した場合、又は、画像形成条件の設定を誤った場合に、容易な操作で、修正し、修正結果をプレビュー表示できるので、ユーザの利便性が向上する。
【００７４】
例えば、画像データ２をプレビュー表示している際に、前スキップボタン５６が操作された場合には、プレビュー表示中の画像データより前の、当該プレビュー表示中の画像データに係わる識別情報とは異なる識別情報を示す画像データ群が存在しない。そこで、当該画像データ“２”を含む同一識別情報を示す画像データ群の先頭画像データ、つまり、画像データ“１”をプレビュー表示するようにしてもよい。
【００７５】
他にも、画像データ“１２”をプレビュー表示している際に、次スキップボタン５３が操作された場合には、上記のように、当該画像データ“１２”を含む同一識別情報を示す画像データ群の先頭画像データ、つまり、画像データ“１１”をプレビュー表示するようにしてもよい。
【図面の簡単な説明】
【００７６】
【図１】本発明に係る画像形成装置の概略について説明するための図である。
【図２】本発明の一実施形態に係る画像形成装置の構成例を示す概略ブロック図である。
【図３】操作パネルの一例である。
【図４】標準画面として、タッチパネルに表示されるＧＵＩ画像の一例である。
【図５】原稿束識別情報記録テーブルの一例である。
【図６】プレビュー画像の一例である。
【図７】プレビュー画像の他の例である。
【図８】ガイダンス画面の一例である。
【図９】プレビュー画像の他の例である。
【図１０】プレビュー画像表示処理を説明するためのフロー図である。
【符号の説明】
【００７７】
１…デジタル複合機、１０…タッチパネル、１１…パネル制御部、１２…記録部、１３…読取部、１４…フォーマット変換部、１５…画像記憶部、１６…画像処理部、１６ａ…ビルドジョブ実行部、１６ｂ…プレビュー画像生成部、１７…プレビュー画像表示制御部、１８…原稿束識別情報記録部、１９…符号化／復号部、２０…メイン制御部、２１…制御用メモリ、２２…キー操作部、２２ａ…スタートキー、２３…ＬＡＮ制御部、２４…制御用バッファ、２５…ＮＣＵ、２６…モデム、３０…操作パネル、４０…ＧＵＩ画像、４１…プレビュー確認ボタン、４２…特別機能ボタン、５０１〜５０４…プレビュー画像、５１ｍ，５１ｃ…プレビュー表示、５２…次原稿表示ボタン、５３…次スキップボタン、５４…次早送りスキップボタン、５５…前ボタン、５６…前スキップボタン、５７…前早送りスキップボタン、５８…再設定ボタン、５９…コピー開始ボタン、６０…ガイダンス画面、１０１…原稿束識別情報記録テーブル。
【図１】
2010118884.tif 000003
【図２】
2010118884.tif 000004
【図３】
2010118884.tif 000005
【図４】
2010118884.tif 000006
【図５】
2010118884.tif 000007
【図６】
2010118884.tif 000008
【図７】
2010118884.tif 000009
【図８】
2010118884.tif 000010
【図９】
2010118884.tif 000011
【図１０】
2010118884.tif 000012